(57)【要約】      （修正有）【課題】位置決めを行うことができると同時に、螺合による締め付けかつ固定が可能なロックボルトを提供する。【解決手段】対象物のクイックロックに用いられるロックボルトであって、螺子ヘッド部４０、ネジ部４１、座金５、および、クランクシャフト６を備える。ネジ部４１は、螺子ヘッド部４０の下方に位置する。座金５は、ネジ部４１にはめ込まれている。クランクシャフト６は、螺子ヘッド部４０に回転可能に設けられている。よって、クランクシャフト６を回転させることで、座金５を押さえ、螺子ヘッド部４０を上方に向かって引き上げ、座金５が対象物をしっかりと押さえ付けるようにする。よって、対象物をスピーディーに締め付けることができる。【選択図】図４
0003199129.tif 000002
【実用新案登録請求の範囲】
【請求項１】
対象物のクイックロックに用いられるロックボルトであって、
螺子ヘッド部、ネジ部、座金、および、クランクシャフトを備え、
前記ネジ部は、前記螺子ヘッド部の下方に位置し、
前記座金は、前記ネジ部にはめ込まれており、
前記クランクシャフトは、前記螺子ヘッド部に回転可能に設けられていることを特徴とするロックボルト。
【請求項２】
前記クランクシャフトは、頂部に挿入穴が形成されており、底部に凸輪が設けられていることを特徴とする請求項１に記載のロックボルト。
【請求項３】
前記座金は、底面がカーブ状であることを特徴とする請求項１に記載のロックボルト。
【考案の詳細な説明】
【技術分野】
【０００１】
本考案は、ボルト構造の改良に関し、特に、クイックロックに用いられるロックボルトに関する。
【背景技術】
【０００２】
従来のロックボルトは、図１から図３に示したとおりである。前記ロックボルト２０は、主に、ヘッド部２１、ネジ部２４及びパッキン２５を備える。このうち、ヘッド部２１は、六角形であり、その六個の辺は、スパナまたはボックスレンチによって回転する。ヘッド部２１の底面は、傾斜面２３を有する。前記傾斜面２３は、外側から内側に外に向かって傾斜し、且つ、外周にはヘッド部２１の底面外側に位置する外側環状端２３１を有する。ネジ部２４は、ヘッド部２１の底端に設置され、その周面には、ねじ山を有する。パッキン２５は、上述の傾斜面２３の内側に位置し、ネジ部２４に近接する。且つ、前記パッキン２５の底面とヘッド部２１の外側環状端２３１は、概ね同一の仮想平面Ｌ上に位置する。前記パッキン２５は、一周する環状体であり、外側環状端２３との間に隙間２６を呈する。前記ロックボルトが対象物３０によってベース３２上に螺合固定される時、そのヘッド部２１の底面は、前記対象物３０をしっかりと押さえる。ヘッド部２１の底面は、内側に縮小する形態を呈する傾斜面２３及び隙間２６を有し、且つ、外側環状端２３１とパッキン２５の底面は、概ね同じ高さを有する。したがって、前記ヘッド部２１が前記対象物３０に接触する時、全面が接触することがなく、前記外側環状端２３１とパッキン２５は、内、外が分かれる形式で対象物に接触する。ヘッド部２１の底面の単位面積が受ける力が、従来のロックボルトの全面積が受ける力より大きいことにより、パッキン２５と外側環状端２３１が力を受けて変形し、固定される物との間をしっかりと押さえ付けて、締め付けて固定する効果を高める。
【０００３】
上述の内容及びその図面に示すとおり、従来のロックボルトは、主に、持久性を有し、しっかりと締め付ける効果を提供するロックボルトである。その締め付け固定方式は、一般のボルトと同様で、回して徐々に締め付けて行き、その所定の効果を達成する。しかしながら、効率、および時間短縮から言えば、やはり理想的だとは言えない。さらに、位置決め技術を利用するだけでスピーディーに行なえる接続物件から言えば、蛇足の感があり、無駄な部分を有するため、経済的とは言えない。したがって、位置決めができると同時に、螺合により締め付けて固定できるロックボルトは、確実に上述の課題を解決する。
【考案の概要】
【考案が解決しようとする課題】
【０００４】
本考案は、従来の問題を鑑みてなされたものであり、その目的は、位置決めを行うことができると同時に、螺合による締め付けかつ固定が可能なロックボルトを提供することにある。
【課題を解決するための手段】
【０００５】
上記課題を解決するために、本考案によるロックボルトは、対象物のクイックロックに用いられるロックボルトであって、螺子ヘッド部、ネジ部、座金、および、クランクシャフトを備える。ネジ部は、螺子ヘッド部の下方に位置する。座金は、ネジ部にはめ込まれている。クランクシャフトは、螺子ヘッド部に回転可能に設けられている。
よって、クランクシャフトを回転させることで、座金を押さえ、螺子ヘッド部を上方に向かって引き上げ、座金が対象物をしっかりと押さえ付けるようにする。よって、対象物をスピーディーに締め付けることができる。
【０００６】
本考案のロックボルトは、螺子ヘッド部の下方に座金がはめ込まれており、螺子ヘッド部にクランクシャフトが設けられている。クランクシャフトは、底部に凸輪が設置されており、凸輪が回転することで座金を押さえ付ける。よって、螺子ヘッド部が上に向かって引き上げられ、座金が対象物をしっかりと押さえ付ける。これにより、対象物をスピーディーに締め付けることができる。
【図面の簡単な説明】
【０００７】
【図１】従来のロックボルトを示す平面図である。
【図２】従来のロックボルトを示す断面図である。
【図３】従来のロックボルトを使用した状態を示す模式図である。
【図４】本考案の一実施形態によるロックボルトを示す分解斜視図である。
【図５】本考案の一実施形態によるロックボルトを示す斜視図である。
【図６】本考案の一実施形態によるロックボルトの使用例を示す模式図である。
【図７】本考案の一実施形態によるロックボルトの使用例を示す模式図である。
【考案を実施するための形態】
【０００８】
（一実施形態）
図４から図７は、本考案の一実施形態によるロックボルトの分解斜視図、斜視図、および、使用状態を示す模式図である。図からわかるように、本実施形態は、主に、螺子ヘッド部４０の下方に座金５がはめ込まれており、螺子ヘッド部４０の左右両側にクランクシャフト６が回転可能に設置されている。前記クランクシャフト６には挿入穴６０が形成されており、底面に凸輪６１が設置されており、前記クランクシャフト６を引き上げることで凸輪６１が連動して回転する。クランクシャフト６を引き上げると、凸輪６１と座金５とが当接し、ネジ部４１を上方に引き上げ、下方に座金５を押さえる。これにより、前記座金５が対象物Ａにしっかりと押さえ付けられる。ネジ部４１が、対象物Ａに螺合される。これは図６に示したとおりである。または、図７に示したように、底面にナット７が螺合された後、さらに、対象物Ａにはめ込まれる。つまり、クランクシャフト６を引き上げ、クランクシャフト６の凸輪６１を座金５に当接させ、螺子ヘッド部４０を上方に引き上げ、下方に座金５を押さえ付ける。よって、前記座金５が対象物Ａに押さえ付けられ、スピーディーに対象物Ａを締め付けることができる。
【０００９】
上述の座金５の底面は、カーブ面５０となっており、対象物Ａにしっかりと押さえ付けられる効果を高めることができる。
【００１０】
上述のクランクシャフト６は、上部に複数の挿入穴６０が設置されており、前記挿入穴６０にハンドル８が接続されている。これにより、クランクシャフト６を引き上げる際の力を小さくすることができる。
【００１１】
図６に示したように、上述のネジ部４１は、対象物Ａ上に螺合されている。または、図７に示したように、底面にナット７を螺合した後、対象物Ａにはめ込む。この場合、クランクシャフト６を引き上げることができない場合、または、引き上げた後クランクシャフト６の位置を固定することができない場合、ネジ部４１またはナット７を回転することで調整を行うことができる。よって、クランクシャフト６が引き上げられた後、スムースに位置固定を行い、対象物Ａを締め付けて固定することができる。
【００１２】
このように、本考案のロックボルトは、小さな改良であるが、螺子ヘッド部の下方に座金がはめ込まれており、螺子ヘッド部の左右両側に、底部に凸輪が設置されているクランクシャフトが回転可能に設置されることで、クランクシャフトを引き上げて凸輪を回転させ、座金を押さえ付け、ネジ部を上に上げ、座金が下方に向かって対象物をしっかりと押さえつけ、スピーディーに対象物をしっかりと締め付けて固定することができる。したがって、確実に上述の従来のロックボルトにおける欠点を改善することができる。
【符号の説明】
【００１３】
２１  ヘッド部、
２４  ネジ部、
２５  パッキン、
２０  ロックボルト、
２３  傾斜面、
２３１  外側環状端、
Ｌ  水平面、
２６  隙間、
３０  対象物、
３２  ベース、
４０  螺子ヘッド部、
４１  ネジ部、
５  座金、
６  クランクシャフト、
６０  挿入穴、
６１  凸輪、
Ａ  対象物、
７  ナット、
８  ハンドル、
５０  カーブ面。
【図１】
0003199129.tif 000003
【図２】
0003199129.tif 000004
【図３】
0003199129.tif 000005
【図４】
0003199129.tif 000006
【図５】
0003199129.tif 000007
【図６】
0003199129.tif 000008
【図７】
0003199129.tif 000009